【手続補正書】
【提出日】平成18年9月12日(2006.9.12)
【手続補正１】
【補正対象書類名】特許請求の範囲
【補正対象項目名】全文
【補正方法】変更
【補正の内容】
【特許請求の範囲】
【請求項１】
第一の層の中に作製されたミクロ流体流れチャンネル、
第一の層に隣接する第二の層の中に作製された第一のミクロ流体制御チャンネルであって、ミクロ流体流れチャンネルから第一の変形可能な膜によって隔てられている第一のミクロ流体制御チャンネル、および
第一のミクロ流体制御チャンネルに隣接し、第一のミクロ流体制御チャンネルから第二の変形可能な膜によって隔てられている第二のミクロ流体制御チャンネル
を含むミクロ流体装置。
【請求項２】
第一の層は第二の層の下に配置されている、請求項１に記載のミクロ流体装置。
【請求項３】
第一の層は第二の層の上に配置されている、請求項１に記載のミクロ流体装置。
【請求項４】
第一のミクロ流体流れチャンネルは流れチャンネルのネットワークを含み、
第一のミクロ流体制御チャンネルは、共通の入口を共有し幅の広い部分を有するチャンネルの分岐したネットワークを含み、
第二のミクロ流体制御チャンネルは、個別の入口を有し同様に幅の広い部分を有するチャンネルのネットワークを含む
請求項１に記載のミクロ流体装置。
【請求項５】
第一の制御チャンネルネットワークの分岐の数は流れチャンネルの数より少なく、第一のマルチプレクサ構成の中に配置された幅の広い部分を有し、
第二の制御チャンネルネットワークのチャンネルの数は流れチャンネルの数より少なく、第二のマルチプレクサ構成の中に配置された幅の広い部分を有し、それによってカスケード化されたマルチプレクサ構造を定める
請求項４に記載のミクロ流体装置。
【請求項６】
第二のミクロ流体制御チャンネルに隣接し、第二のミクロ流体制御チャンネルから第三の変形可能な膜によって隔てられている第三のミクロ流体制御チャンネルをさらに含む、請求項１に記載のミクロ流体装置。
【請求項７】
ミクロ流体構造体の中の流れを制御する方法であって、
隣接する流れチャンネルから第一の膜によって隔てられている第一の制御チャンネルネットワークの制御チャンネルに圧力を加え、これによって第一の膜を流れチャンネルの中に変形させること、
第一の制御チャンネルネットワークの中の圧力を維持しながら、第一の流れチャンネルネットワークから第二の膜によって隔てられている第二の制御チャンネルネットワークの制御チャンネルに圧力を加え、これによって第二の膜を第一の制御チャンネルネットワークの制御チャンネルの中に変形させて制御チャンネルを密閉すること、および
第二の制御チャンネルネットワークの制御チャンネルの中の圧力を維持しながら、第一の制御チャンネルネットワークの中の圧力を解放し、これによって第一の膜を流れチャンネルの中に変形されたまま残すこと
を含む方法。
【請求項８】
第一の制御チャンネルネットワークは流れチャンネルの上に配置され、これによって第一の膜は流れチャンネルの中に下向きに変形する、請求項７に記載の方法。
【請求項９】
第一の制御チャンネルネットワークは流れチャンネルの下に配置され、これによって第一の膜は流れチャンネルの中に上向きに変形する、請求項７に記載の方法。
【請求項１０】
第二の制御チャンネルネットワークは第一の制御チャンネルネットワークの下に配置され、これによって第二の膜は第一の制御チャンネルネットワークの制御チャンネルの中に上向きに変形する、請求項９に記載の方法。
【請求項１１】
第一の制御チャンネルネットワークの中の圧力を解放することによって、第一の制御チャンネルネットワークと第二の流れチャンネルとの間の別の膜を第二の流れチャンネルの中から変形させる、請求項７に記載の方法。
【請求項１２】
第二の制御チャンネルネットワークはマルチプレクサを含み、それによって一つを除く流れチャンネルのすべてを同時に閉めることを可能にする、請求項１１に記載の方法。
【請求項１３】
第一の制御チャンネルネットワークは第二のマルチプレクサを含み、それによって第二の制御チャンネルネットワークのより少ない数の制御チャンネルが流れチャンネルの中の流体の移動を制御することを可能にする、請求項１２に記載の方法。
【請求項１４】
第二の複数の平行な流れチャンネルと直交する第一の複数の平行な流れチャンネルによって定められる貯蔵場所のアレイ、
貯蔵場所に隣接し、貯蔵場所を孤立させるよう変形可能なバルブを定める制御ラインのネットワーク、
第一の複数の平行な流れチャンネルの中の流れを制御するために構成された第一のマルチプレクサ構造、および
第二の複数の平行な流れチャンネルの中の流れを制御するために構成された第二のマルチプレクサ構造
を含むミクロ加工された構造体。
【請求項１５】
同じエラストマー層の中に第一の複数の平行な流れチャンネルおよび第二の複数の平行な流れチャンネルが作製され、これによって第一の複数の流れチャンネルと第二の複数の流れチャンネルとの交差点に貯蔵場所のアレイが定められ、
同じエラストマー層の中に制御チャンネルネットワークとして第一および第二のマルチプレクサが作製される、請求項１４に記載のミクロ加工された構造体。
【請求項１６】
第一の複数の流れチャンネルに隣接して貯蔵場所への選択的なアクセスを可能にする複数のバスラインをさらに含む、請求項１５に記載のミクロ加工された構造体。
【請求項１７】
異なるエラストマー層の中に第一の複数の平行な流れチャンネルおよび第二の複数の平行な流れチャンネルが作製され、
第一の複数の流れチャンネルと第二の複数の流れチャンネルとの間の中間エラストマー層の中に作製したチャンバによって貯蔵場所のアレイが定められ、
第一の複数の平行な流れチャンネルの一つは第一の片方向バルブを通してチャンバと垂直流体連通し、
前記チャンバは第二の片方向バルブを通して第二の複数の平行な流れチャンネルの一つと垂直流体連通する
請求項１４に記載のミクロ加工された構造体。
【請求項１８】
細長い第一の流れチャンネル、
細長い第一の流れチャンネルに重なり合い、第一のバルブ構造体であって細長い第一の流れチャンネルの中に変形して第一の流れチャンネルの第一および第二のセグメントを定めるように構成されている該バルブ構造体を定める制御チャンネル、
第一のセグメントと流体連通する第二の流れチャンネル、および
第二のセグメントと流体連通する第三の流れチャンネル
を含むミクロ流体装置。
【請求項１９】
第一のセグメントを第二の流れチャンネルから選択的に孤立させるために作動可能な第二のバルブ、および
第二のセグメントを第三の流れチャンネルから選択的に孤立させるために作動可能な第三のバルブ
をさらに含む、請求項１８に記載のミクロ流体装置。
【請求項２０】
エラストマー物質の中に定められた選択的にアドレス可能な貯蔵場所、
バルブを通して貯蔵場所と選択的に流体連通する第一の流れチャンネル、および
第二のバルブを通して貯蔵場所と選択的に流体連通する第二の流れチャンネル
を含むミクロ流体装置。
【請求項２１】
第一および第二の流れチャンネルは貯蔵場所と同一平面上にある、請求項２０に記載のミクロ流体装置。
【請求項２２】
第三の流れチャンネルと第四の流れチャンネルとの間の交差点によって貯蔵場所が定められ、
第二の流れチャンネルは第三の流れチャンネルに平行なバスラインを含む
請求項２１に記載のミクロ流体装置。
【請求項２３】
第一および第二の流れチャンネルは垂直バイアを通して貯蔵場所と流体連通する、請求項２０に記載のミクロ流体装置。
【請求項２４】
第一の流れチャンネルは第一の片方向バルブを通して貯蔵場所と流体連通し、
貯蔵場所は第二の片方向バルブを通して第二の流れチャンネルと流体連通する
請求項２３に記載のミクロ流体装置。
【請求項２５】
第一の流れチャンネルに隣接し、第一の流れチャンネルの中の圧力を制御するように構成された第一のマルチプレクサを定める第一の制御チャンネルネットワーク、および
第二の流れチャンネルに隣接し、第二の流れチャンネルの中の圧力を制御するように構成された第二のマルチプレクサを定める第二の制御チャンネルネットワーク
をさらに含む、請求項２４に記載のミクロ流体装置。
【請求項２６】
ミクロ流体装置中で選択的に物質を貯蔵および回収する方法であって、
エラストマー物質の中に定められたチャンバを提供すること、
第一の流れチャンネルの中の第一のバルブを通してチャンバの中に物質を選択的に流すこと、および
第二の流れチャンネルの中の第二のバルブを通してチャンバから物質を選択的に流すこと
を含む方法。
【請求項２７】
チャンバと同じ平面上に配置された第一の流れチャンネルを通して物質をチャンバの中に流し、
チャンバおよび第一の流れチャンネルと同じ平面上に配置された第二の流れチャンネルを通して物質をチャンバから流す
請求項２６に記載の方法。
【請求項２８】
チャンバの下または上のどちらかに配置された第一の流れチャンネルを通してチャンバの中に物質を流し、
チャンバの下または上の第一の流れチャンネルとは反対側に配置された第二の流れチャンネルを通してチャンバから物質を流す
請求項２６に記載の方法。